(57)【要約】原子炉は、原子炉圧力容器１２と、該原子炉圧力容器１２内に収容される炉心バレル１４を含む。原子炉１０は更に、単一の垂直支持体１６を含み、炉心バレルから原子炉圧力容器に垂直荷重を伝達する。更に横方向支持手段は、サポート１６を上回る高さに設けられ、炉心バレル１４に対する横方向支持を与える。この装置により、結果として温度変動から生じる応力が低減されることになる。
2007502425.tif 000002
【特許請求の範囲】
【請求項１】
支持されることになる容器と、
前記容器の重量を支持する単一の垂直支持体と、
少なくとも前記単一の垂直支持体を上回る高さにあり、前記容器に対する横方向支持を与える横方向支持手段と、
を含む支持装置。
【請求項２】
前記容器は原子炉圧力容器を含む高温ガス冷却原子炉の炉心バレルであり、前記原子炉圧力容器内に前記炉心バレルが収容され、前記垂直支持体は、それぞれが前記炉心バレルと前記原子炉圧力容器とに連結される上部支持部材と下部支持部材とを含み、これらの間で垂直方向の荷重が伝達されることを特徴とする請求項１に記載の支持装置。
【請求項３】
前記炉心バレルが略円筒形の形状であり、且つ略垂直方向に延びる軸線を有し、前記上部及び下部支持部材は、中央に位置付けられた対向配置の接触面を定めることを特徴とする請求項２に記載の支持装置。
【請求項４】
前記接触面の少なくとも１つが湾曲しており、その結果、前記接触面間の相対移動が転動によって行われてヘリウム環境での運転時に磨耗と前記表面溶着の可能性が低減されることを特徴とする請求項３に記載の支持装置。
【請求項５】
前記接触面の両方が湾曲していることを特徴とする請求項４に記載の支持装置。
【請求項６】
前記上部支持部材が下方に面する凹状接触面を定め、前記下部支持部材が上方に面する凸状接触面を定めることを特徴とする請求項５に記載の支持装置。
【請求項７】
前記凸状接触面の半径は、前記凹状接触面の半径よりも小さいことを特徴とする請求項６に記載の支持装置。
【請求項８】
前記垂直支持体は、前記上部支持部材と前記下部支持部材との間に挿入される中間部材を含むことを特徴とする請求項２に記載の支持装置。
【請求項９】
前記中間部材は、それぞれが前記上部及び下部支持部材の相補的接触面と協働する上部及び下部接触面を定めることを特徴とする請求項８に記載の支持部材。
【請求項１０】
前記中間部材の前記接触面は凸状であり、前記上部及び下部支持部材の相補的接触面は凹状であることを特徴とする請求項９に記載の支持装置。
【請求項１１】
各凸状接触面の半径は、前記相補的凹状接触面の半径よりも小さいことを特徴とする請求項１０に記載の支持装置。
【請求項１２】
前記横方向支持手段は、前記炉心バレルを作動上の上端部で又はこれに向かって横方向に支持するように位置付けられる、複数の円周方向に間隔を置いて配置された上部横方向支持体を含むことを特徴とする請求項２から請求項１１のいずれか一項に記載の支持装置。
【請求項１３】
各上部横方向支持体は、前記炉心バレルと前記原子炉圧力容器とにそれぞれ連結された内側及び外側上部支持部材のセットを含み、各セットの前記内側及び外側上部支持部材の少なくとも１つが、弾性変形可能な支持体上に取り付けられることを特徴とする請求項１２に記載の支持装置。
【請求項１４】
各上部横方向支持体の前記内側上部支持部材と前記外側上部支持部材との間にローラ要素が挟装され、該内側及び外側上部支持部材間、並びにこれらが連結される前記炉心バレルと前記原子炉圧力容器との間の相対変位を助長することを特徴とする請求項１３に記載の支持装置。
【請求項１５】
前記ローラと前記内側上部支持部材及び外側上部支持部材のうちの少なくとも１つとが相補的ギアを備え、前記ローラと前記内側及び外側上部支持部材の相補的軸受面との間の相対変位が確実に転動によるものであるようにすることを特徴とする請求項１４に記載の支持装置。
【請求項１６】
前記内側及び外側上部支持部材の軸受面が傾斜面であることを特徴とする請求項１５に記載の支持装置。
【請求項１７】
各外側上部支持部材が弾性変形可能な支持体上に取り付けられ、該弾性変形可能な支持体は、前記原子炉圧力容器に固定される上部支持リング上に取り付けられることを特徴とする請求項１３から請求項１６のいずれか一項に記載の支持装置。
【請求項１８】
前記弾性変形可能な支持体は、離間した位置に前記上部支持リングに連結された支持ポストのペアと、前記支持ポスト間に延び且つ前記外側上部支持部材が取り付けられる弾性変形可能なガイドビームとを含むことを特徴とする請求項１７に記載の支持装置。
【請求項１９】
前記ガイドビームの位置が調整可能であることにより、前記内側及び外側上部支持部材の相対位置が調整可能となることを特徴とする請求項１８に記載の支持装置。
【請求項２０】
前記横方向支持手段は、下端部に隣接した前記炉心バレルに対する横方向支持を与えるように位置付けられる、複数の円周方向に間隔を置いて配置された下部横方向支持体を含むことを特徴とする請求項２から請求項１９のいずれか一項に記載の支持装置。
【請求項２１】
各下部横方向支持体は、前記炉心バレルと前記原子炉圧力容器との間で横荷重を伝達するために内側及び外側受け入れ構成体の間に半径方向に延びる弾性変形可能な位置決め要素を含むことを特徴とする請求項２０に記載の支持装置。
【請求項２２】
前記内側受け入れ構成体は前記上部支持部材上に設けられ、前記外側受け入れ構成体は前記原子炉圧力容器に固定された下部支持リングから半径方向内方に突出する突出部であることを特徴とする請求項２１に記載の支持装置。
【請求項２３】
例外的な荷重を受けたときに前記原子炉圧力容器内で前記炉心バレルを支持する補助支持手段を含むことを特徴とする請求項２から請求項２２のいずれか一項に記載の支持装置。
【請求項２４】
前記上部支持部材は、前記炉心バレル底部から下方に延びる中央部材と、前記炉心バレル底部及び前記中央部材に連結され且つ前記中央部材から半径方向外方に延びる複数の角度方向に間隔を置いて配置された支持ビームとを含み、前記補助支持手段は、前記支持ビームの半径方向外方の端部がほとんど間隙なしで受け入れ可能である複数の円周方向に間隔を置いて配置された半径方向内方に面するスロットを含む下部補助支持体を含むことを特徴とする請求項２３に記載の支持装置。
【請求項２５】
前記スロットは、前記原子炉圧力容器に固定された下部支持リングの半径方向内方の面上に定められることを特徴とする請求項２４に記載の支持装置。
【請求項２６】
前記上部支持部材は、前記炉心バレル底部から下方に延びる中央部材と、前記炉心バレル底部及び前記中央部材に連結され且つ前記中央部材から前記炉心バレルより垂下する環状スカートまで半径方向外方に延びる複数の角度方向に間隔を置いて配置された支持ビームとを含み、前記補助支持手段は、前記原子炉圧力容器に固定された下部支持リングから半径方向内方に突出し且つ前記スカートの相補的スロット内にほとんど間隙なしで受け入れられる複数の円周方向に間隔を置いて配置された突出部を含む下部補助支持体を含むことを特徴とする請求項２３に記載の支持装置。
【請求項２７】
前記補助支持手段は、前記炉心バレルに連結され且つそこから外方に突出する複数の円周方向に間隔を置いて配置されたリブと、前記上部支持リングの半径方向内方の面内に設けられ且つその外に開いた相補的スロットとを備えた上部補助支持体を含み、前記上部支持リング内では前記スロットと前記リブの部分がほとんど間隙なしで受け入れ可能であることを特徴とする請求項２３から請求項２６のいずれか一項に記載の支持装置。
【請求項２８】
容器を支持する方法であって、
内容物を伴う前記容器の重量を単一の垂直支持体を介して支持装置に伝達する段階と、
少なくとも前記垂直支持体を上回る高さにある位置で前記容器を横方向に支持する段階とを含む方法。
【請求項２９】
前記容器が、内部に前記炉心バレルが支持される原子炉圧力容器を含む高温ガス冷却原子炉の炉心バレルの形の場合に、前記方法が、
前記炉心バレル及びその内容物の重量を単一の垂直支持体を介して前記原子炉圧力容器に伝達する段階と、
前記垂直支持体を上回る高さに位置付けられた横方向支持体を介して前記炉心バレルと前記原子炉圧力容器との間で横荷重を伝達する段階と、
を含む請求項２８に記載の方法。
【発明の詳細な説明】
【技術分野】
【０００１】
本発明は、支持装置に関する。本発明はまた、容器を支持する方法に関する。
【背景技術】
【０００２】
温度変動を受ける容器に関して問題がある。温度変化の結果、容器の形状及び／又は寸法が変化する可能性があり、これにより、容器及び／又は容器支持体に望ましくない応力がもたらされるおそれがある。これは、特に温度変化が一様ではない場合に当てはまる。
【０００３】
本発明の目的は、この状況を少なくとも緩和すると発明者が考える手段を提供することである。
【発明の開示】
【０００４】
本発明の１つの態様によれば、支持されることになる容器と、容器の重量を支持する単一の垂直支持体と、少なくとも単一の垂直支持体を上回る高さにあり、容器に対する横方向支持を与える横方向支持手段とを備える支持装置を提供する。
【０００５】
本発明は、特に、必ずしもこれ以外を排除するものではないが、高温ガス冷却原子炉に用途が見出されると本発明者は考える。
【０００６】
従って、容器は、たとえば、原子炉圧力容器を含む高温ガス冷却原子炉の炉心バレルであり、該原子炉圧力容器内に炉心バレルが収容され、垂直支持体は、それぞれが炉心バレルと原子炉圧力容器とに連結される上部及び下部支持部材を備え、これらの間で垂直方向の荷重が伝達される。
【０００７】
炉心バレルは、略円筒形の形状とすることができ、略垂直方向に延びる軸線を有し、上部及び下部支持部材は、中央に位置付けられた対向配置の接触面を定める。
【０００８】
接触面の少なくとも１つが湾曲することができ、その結果、接触面間の相対移動が転動によって行われてヘリウム環境での運転時に磨耗と表面溶着の可能性が低減される。
【０００９】
上部支持部材は下方に面する凹状接触面を定めることができる。下部支持部材は、上方に面する凸状接触面を定めることができる。接触面は部分球形とすることができる。本発明の好適な実施形態においては、凸状接触面の半径は凹状接触面の半径よりも小さい。
【００１０】
垂直支持体は、上部支持部材と下部支持部材との間に挿入される中間部材を含むことができる。中間部材は、それぞれが上部及び下部支持部材の相補的接触面と協働する上部及び下部接触面を定めることができる。
【００１１】
中間部材の接触面は凸状とすることができ、上部及び下部支持部材の相補的接触面は凹状である。本発明の好適な実施形態においては、各凸状接触面の半径は、相補的凹状接触面の半径よりも小さい。
【００１２】
横方向支持手段は、炉心バレルを作動上の上端部で又はこれに向けて横方向に支持するように位置付けられる、複数の円周方向に間隔を置いて配置された上部横方向支持体を含むことができる。
【００１３】
各上部横方向支持体は、炉心バレルと原子炉圧力容器とにそれぞれ連結された内側及び外側上部支持部材のセットを含むことができ、各セットの内側及び外側上部支持部材の少なくとも１つは、弾性変形可能な支持体上に取り付けられる。
【００１４】
各上部横方向支持体の内側上部支持部材と外側上部支持部材との間にローラ要素を挟装して、内側及び外側上部支持部材間、並びにこれらが連結される炉心バレルと原子炉圧力容器との間の相対変位を助長することができる。ローラと内側上部支持部材及び外側上部支持部材のうちの少なくとも１つとが相補的ギアを備え、ローラと内側及び外側上部支持部材の相補的軸受面との間の相対変位が確実に転動であって摺動によるものではないようにすることができる。
【００１５】
ローラの使用に加えて、前記軸受面は、溶着を阻止するように処理することができる。この処理は軸受面の窒化を含むことができる。
【００１６】
内側及び外側上部支持部材の軸受面は傾斜面とすることができる。特に、内側及び外側上部横方向支持部材の軸受面は略平行であり且つ外方上方に傾斜することができる。
【００１７】
各外側上部支持部材は弾性変形可能な支持体上に取り付けることができ、該弾性変形可能な支持体は、前記原子炉圧力容器に固定される上部支持リング上に取り付けられる。弾性変形可能な支持体は、離間した位置に上部支持リングに連結された支持ポストのペアと、支持ポスト間に延び且つ外側上部支持部材が取り付けられる弾性変形可能なガイドビームとを含むことができる。ガイドビームの位置を調整可能とすることができることによって、内側及び外側上部支持部材の相対位置が調整可能となる。
【００１８】
横方向支持手段は、下端部に隣接した炉心バレルに対する横方向支持を与えるように位置付けられる、複数の円周方向に間隔を置いて配置された下部横方向支持体を含むことができる。
【００１９】
各下部横方向支持体は、炉心バレルと原子炉圧力容器との間で横荷重を伝達するために内側及び外側受け入れ構成体の間に半径方向に延びる弾性変形可能な位置決め要素を含むことができる。
【００２０】
内側受け入れ構成体は、上部支持部材上に設けることができ、外側受け入れ構成体は、原子炉圧力容器に固定された下部支持リングから半径方向内方に突出する突出部である。
【００２１】
本支持装置は、例えば、地震事象の結果として、例外的な荷重を受けたときに前記原子炉圧力容器内で前記炉心バレルを支持する補助支持手段を含むことができる。
【００２２】
本発明の１つの実施形態においては、上部支持部材は、炉心バレル底部から下方に延びる中央部材と、炉心バレル底部及び中央部材に連結され且つ中央部材から半径方向外方に延びる複数の角度方向に間隔を置いて配置された支持ビームとを含むことができ、補助支持手段は、支持ビームの半径方向外方の端部がほとんど間隙なしで受け入れ可能である複数の円周方向に間隔を置いて配置された半径方向内方に面するスロットを含む下部補助支持体を含む。
【００２３】
スロットは、原子炉圧力容器に固定された下部支持リングの半径方向内方の面上に定めることができる。シムを使用して、スロット内でビームの端部の所望の間隙を得ることができる。
【００２４】
本発明の別の実施形態においては、上部支持部材は、炉心バレル底部から下方に延びる中央部材と、炉心バレル底部及び中央部材に連結され且つ中央部材から炉心バレルより垂下する環状スカートまで半径方向外方に延びる複数の角度方向に間隔を置いて配置された支持ビームとを含み、補助支持手段は、原子炉圧力容器に固定された下部支持リングから半径方向内方に突出し且つスカートの相補的スロット内にほとんど間隙なしで受け入れられる複数の円周方向に間隔を置いて配置された突出部を含む下部補助支持体を含む。
【００２５】
シムを設けて、突出部とスロットとの間で所望の間隙を得ることができる。
【００２６】
本発明の別の態様によれば、容器を支持する方法であって、内容物を伴う容器の重量を単一の垂直支持体を介して支持装置に伝達する段階と、少なくとも垂直支持体を上回る高さにある位置で横方向に容器を支持する段階とを含む方法を提供する。
【００２７】
容器が内部に炉心バレルが支持される原子炉圧力容器を含む高温ガス冷却原子炉の炉心バレルの形である場合に、本方法は、炉心バレル及びその内容物の重量を単一の垂直支持体を介して原子炉圧力容器に伝達する段階と、垂直支持体を上回る高さに位置付けられた横方向支持体を介して炉心バレルと原子炉圧力容器との間で横荷重を伝達する段階とを含むことができる。
【発明を実施するための最良の形態】
【００２８】
次に、例証として添付の概略図を参照しながら本発明を説明する。
【００２９】
図面において、参照番号１０は、本発明による支持装置を組み込んだ原子炉全体を示す。原子炉１０は、原子炉圧力容器１２と、該原子炉圧力容器１２内に含まれる、全体が参照番号１４で示される炉心バレルとを含む。原子炉１０は更に、炉心バレルから原子炉圧力容器に垂直荷重を伝達する、全体が参照番号１６で示された単一の垂直支持体と、炉心バレル１４に対する横方向支持を提供する、全体が参照番号１８（図７）で示された横方向支持手段とを含む。
【００３０】
原子炉圧力容器１２は、円筒形側壁２０と、それぞれドーム形上端部及び下端部２２、２４を備える。
【００３１】
炉心バレル１４は、円筒形側壁２６と、頂部２８と、底部３０とを含む。炉心バレル１４内には、核燃料が受けられる炉心又はチャンバ４０の範囲を定める複数の反射体（図示せず）が置かれている。
【００３２】
反射体の動作上の詳細及び関連する構造的特長は、本発明の理解に不可欠ではないので、詳細には図示又は説明しない。
【００３３】
ここで図面のうち特に図２、図３、及び図５を参照すると、垂直支持体１６は、上部支持部材４４と下部支持部材４６とを含む。
【００３４】
上部支持部材４４は、炉心バレル１４の底部３０に連結され、且つ該炉心バレル１４と同軸に下方に延びる円筒形中央部材４８を含む。中央部材４８は、下方に面する凹状接触面５０を備える。中央部材４８の接触面５０は、環状肩部５２によって囲まれた凹部として形成されている。上部支持部材４４は更に、炉心バレル１４の底部３０に連結され、且つ中央部材４８に連結されて半径方向外方に伸びる複数の角度方向に間隔を置いて配置された支持ビーム５４を含む。従って、支持ビーム５４は、底部３０及び中央部材４８に対する支持を与え、炉心バレル１４の重量を中央部材４８に伝達する役目をする。
【００３５】
図面のうち図２及び図５で最も良く分かるように、下部支持部材４６は、原子炉圧力容器１２の下端部２４に固定されるベース５６と、該ベースから上方に突出して凸状接触面６０を備える中央配置の円筒部５８とを含む。支持部材４６は、原子炉圧力容器にボルト固定される。垂直支持体１６を介して伝達されるのは炉心バレル組立体の重量であり、従って、負荷は垂直下側方向であることを考慮すると、これらのボルトの負荷は余り大きいものではない。突出部５８の直径は、間隙を有して受け入れ可能であるように、環状肩部５２の内径よりも小さい。更に、中央部材の接触面５０は、円筒部５８の接触面６０よりも大きな曲率半径を有する。本発明の１つの実施形態においては、接触面５０は、５２５０ｍｍの半径を有し、接触面６０は、４４００ｍｍの半径を有する。しかし当然のことながら、これらの半径は、原子炉の寸法に応じて変わる可能性があり、特定の用途に対する最適値は、定期的な試験又は経験的手段によって決定付けることができる。湾曲面は、相対移動が転動によって生じ、摺動によって生じないことを保証するために設けられる。更に、相対的に大きな半径は、所望の接触面積を得るために用いられる。
【００３６】
図面のうち図７、図８及び図１２で最も良く分かるように、上部リング７２は、原子炉圧力容器１２内で所定位置に固定される。この点に関し、１つ又はそれ以上のトーションキー（torsion key）を使用して、リング７２を所定位置に固定することができる。図面のうち図１２で最も明確に分かるように、リング７２及び圧力容器１２は、相補的な下側半径方向内方にテーパが付いた面７３、７５を備えている。更に、環状ロッキングプレート７７は、溶接又はボルトによって支持リング７２に固定され、該ロッキングプレート７７の半径方向外方の縁部は、原子炉容器１２の環状凹部７９で受けられる。この構成は、原子炉容器１２の表面に対して、溶接をする必要がなくリング７２を所定位置に固定する役目を果たす。
【００３７】
横方向支持手段１８は、作動上方端部又はその方向に向けて炉心バレル１４を支持するように位置付けられ複数の円周方向に間隔を置いて配置された上部横方向支持体７６を含む。更に、図面のうちの図９を参照すると、各上部横方向支持体７６は、内側上部支持部材７８及び外側上部支持部材８０を含む。以下で、より詳細に説明するように、内側上部支持部材７８は炉心バレル１４に固定され、外側上部支持部材８０は、上部リング７２に連結される。上部横方向支持部材７８、８０は、該支持部材７８、８０間に位置付けられたローラ８６と接触して支持する相補的に傾斜した支持体又は軸受面８２、８４を定める。ローラ８６は、中央配置の環状凹部９０を有する円筒体８８を含む。更に、ギア車９２は円筒体の各端部に設けられ、円筒形軸方向突出部９４はギア車９２の各々から突出する。内側及び外側の上部支持部材７８、８０の各々には、表面８２、８４から突出し凹部９０に受けられる中央配置のリブ９６を備えている。更に、表面８２、８４の各々の各側部には、ギア９２のそれぞれに相補的なギア９８のセットが設けられる。この構成は、内側横方向支持部材７８と外側横方向支持部材８０との相対変位がローラ８６の転動の結果として確実に行われるような役目を果たす。更に、各外側横方向支持部材８０は、スロット１０２が設けられたチークプレート１００のペアを有する。スロット１０２は、表面８４と平行である。突出部９４は、スロット１０２内でほとんど間隙なく受けられ、外側上部横方向支持部材８０に対するローラ８６の動きの範囲を制限するよう機能する。
【００３８】
各外側上部横方向支持部材８０は、全体が参照番号１０４（図８）で示される弾性変形可能な支持体上に取り付けられる。各支持体１０４は、上部リング７２上に取り付けられるガイドポスト１０６のペアと、支持ポスト１０６間に延びる弾性変形可能なガイドビーム１０８とを含む。
【００３９】
図面のうち図１０で最も良く分かるように、各支持ポスト１０６は、溶接によって上部リング７２に固定されるベース１１０と、スライダ１１２とを含む。ベース１１０及びスライダ１１２は、ベース１１０上でのスライダ１１２の垂直方向の相対変位を可能にする相補的リップ１１３及びチャンネル構成体１１５を有する。ベース１１０及びスライダ１１２のそれぞれの上には、調整ねじ１１８の一部が位置付けられる穴を協働して形成する相補的半円凹部１１４、１１６が設けられる。凹部１１６はねじ山が設けられる。支持ベース上に取り付けられ、ねじ１２２によって所定位置に保持されるカバープレート１２０により、調整ねじ１１８の垂直方向の変位が抑制される。カバープレート１２０は、調整ねじ１１８上のカラーと協動して、調整ねじ１１８の垂直方向の変位を抑制する。また、カバープレート１２０は、スライダ１１２をベース１１０上に係留して保持し、調整ねじ１１８の回転によるベース１１０に対するスライダ１１２の垂直方向の変位の程度を制限可能とするよう機能する。スライダ１１２は、ガイドビーム１０８の端部が受け入れ可能であるスロット１２６を定める。これに伴い、ガイドビームは、ガイドポスト１０６のペア上に支持され、板ばね様に、すなわちガイドビーム１０８の弾性変位をある程度可能にするように構成され、従って、外側上部横方向支持部材８０がその上に取り付けられる。更に、調整ねじ１１８を調整することによって、ガイドビーム、従って、内側上部横方向支持部材７８に対する外側上部横方向支持部材８０の位置を調整して所望の予荷重を得ることができる。図示の実施形態においては、ガイドビーム１０８は、炉心バレルと原子炉圧力容器との間に定められた空間内に嵌合するように湾曲している。
【００４０】
以下に更に詳細に説明するように、垂直支持体１６及び横方向支持手段１８は、通常の運転状態の下で原子炉容器１２内で炉心バレル１４を支持する役目をする。しかしながら、例えば地震事象の結果として原子炉１０が例外的な荷重を受ける可能性がある。これに応じて原子炉１０は、補助支持手段を含む。補助支持手段は、全体が参照番号１３０（図３及び図４）で示された下部補助支持体と、全体が参照番号１３２（図１１）で示された上部補助支持体とを含む。
【００４１】
下部補助支持体１３０は、炉心バレル１４の下端部に隣接する原子炉容器１２に固定された下部支持リング１３４を含む。下部支持リング１３４は、上述のように、上部支持リング７２と類似した方法で原子炉容器１２内の所定位置に固定することができる。複数の半径方向内方の開放スロット１３８が、下部支持リング１３４上の円周方向に間隔を置いて配置された位置に設けられる。支持ビーム５４の半径方向外方の端部がスロット内に受けられる。
【００４２】
上部補助支持体１３２は、炉心バレル１４の内壁２６に連結され、そこから外方に突出する複数の円周方向に間隔を置いて配置されたリブ１４０を含む。相補的に半径方向内方に向けられたスロット１４２が、リブ１４０のスロット部を受けることが可能な上部支持リング７２上で円周方向に間隔を置いて配置された位置に設けられる。
【００４３】
通常の使用では、例えば、温度変化、膨張率の差、及び同様のものの結果として、炉心バレル１４と原子炉圧力容器１２間の幾らかの相対移動が存在することは理解されるところである。支持ビーム５４と下部支持リング１３４間、及びリブ１４０と上部支持リング７２間の間隙は、この相対移動を可能にするように選択されることになる。スロット１３８、１４２の所望の間隙を得るためにシム１４４が利用され、その１つが図面のうちの図６に示されている。シムは、所望の寸法に加工されて、下部支持リング１３４及び上部支持リング７２上に取り付けられ、支持ビーム５４とリブ１４０の端部間にそれぞれ所望の間隙が得られるようにする。図面のうち図６で最も良く分かるように、各シム１４４は、端プレート１６０と、該端プレート１６０から突出する本体部分１６２とを含む。対向して配置された平行リブ１６４は、本体１６２から横方向外方に突出し、支持リング７２、１３４の相補的な垂直方向に延びる対向して内方に配置されたチャンネル構成体内に摺動自在に受けることが可能である。シムは、端プレート１６０の突出部の相補的な穴１６８を貫通して延びるねじ１６６によってこの位置に保持される。
【００４４】
炉心バレルは通常、約２２メートルの長さ及び約１８メートルの円周を有する。炉心バレルは運転中に加熱され、運転停止中に冷却される。材料温度制約条件内に留まるように、炉心バレルは外側を冷却する必要があり、このために炉心バレル冷却システムが設けられる。しかしながら、炉心バレル側面は、どのような所与の高さにおいても円周全体で均一な温度になる可能性は少ない。温度変動は、炉心バレル円周回りの炉心バレル冷却システムガスの一様ではない流れ、例えば製造公差に起因する側面反射体と炉心バレル側部との間の一様でないギャップ、原子炉圧力容器と炉心バレルとの間のこれらの構成部品の両方の製造公差に起因する一様でないギャップ、入口及び出口パイプの構成部品の非対称形配置、又は同様のものなどの種々の要因から生じる可能性がある。炉心バレル上の温度分布が一様でないことにより、炉心バレルの何らかの横方向の変形、例えば僅かな曲がりが発生する可能性がある。中央に配置された単一の垂直支持体１６上で炉心バレルの重量を支持することによって、炉心バレルは、例外的な応力が炉心バレル又は支持構造体内に誘起されることなく曲がることができる。これによって、炉心バレルは一様でない温度分布の影響を受けなくなる。従来技術の欠点は、炉心バレルが複数の離間した垂直支持体に支持されることである。炉心バレルが移動する結果として、支持体すなわち炉心バレルの一様でない荷重が生じる可能性があり、望ましくない高いレベルの応力をもたらす可能性がある。この問題は、単一の中央に配置された垂直支持体１６を利用することによって回避される。
【００４５】
更に、当然ながら、温度並びに使用する材料の差異の結果として、炉心バレルと原子炉圧力容器の膨張の速度及び程度が異なる可能性がある。この点において、上部横方向支持体７６は、炉心バレルの上端部を支持する役目を果たす。炉心バレルが加熱されると、垂直方向及び半径方向の両方で膨張する。これにより、内側上部横方向支持部材７８が、外側上部横方向支持部材８０に対して上方及び半径方向外方に変位するようになる。しかしながら、支持面８２、８４の傾斜はこの膨張を可能にし、支持面をローラ８６の表面に接触した状態に保持する。また、ガイドビーム１０８の固有の弾性は、ある程度の横方向移動を許容する。何らかの理由で表面８２、８４がローラ８６と接触しなくなった場合、ローラは、ギア９２、９８によって所定位置に保持されることになる。表面８２、８４間の分離が更に大きくなりギア９２、９４が接触しなくなった場合には、ローラは、突出部９４がスロット１０２の底部に位置付けられるまで表面８４を転動して降下する。これによって、ローラ８６が原子炉圧力容器１２と炉心バレル１４間に確実に落下しなくなる。表面８２、８４は通常、垂直方向に対し約１０°の角度で傾斜している。しかしながら、この角度は、特定の用途における定期的な試験又は経験によって決定される最適性に応じて変わる場合がある点は認識されるであろう。
【００４６】
例えば地震事象の結果として異常な荷重が原子炉１０に付加された場合、単一の垂直支持体１６が炉心バレル１４の重量を支持することになるが、ガイドビーム１０８が変形するので、上部横方向支持体７６は水平方向の支持を炉心バレル１４に対し十分に与えることができない可能性がある。偏差が十分である場合、支持ビーム５４端部とスロット１３８間、及びリブ１４０とスロット１４２間のギャップは近接し、これにより水平荷重が炉心バレル１４から原子炉圧力容器１２に伝達される。地震事象の後、ガイドビーム１０８によって炉心バレル１４は中央に配置され、リブ１４０とスロット１４２間のギャップが広がる。この点において、ガイドビーム１０８は、この変形に対処して製造材料の弾性領域内に留まるように設計されることは理解されるであろう。
【００４７】
当然ながら、支持装置の幾つかの変形が実施可能である。例えば、下部支持部材４６は、炉心バレルによって伝達される荷重を原子炉圧力容器のより大きな面積にわたって広げるよう設計されたビーム構成によって原子炉圧力容器に連結することができる。
【００４８】
支持装置の別の変形形態を、図面のうちの図１３に示しており、参照番号２００は、本発明による支持装置を組み込んだ別の原子炉の一部を全体的に示すものであり、特に指示がない限り、上記で使用したのと同じ参照番号は同じ部品を示すのに使用される。
【００４９】
原子炉２００の支持装置と原子炉１０の支持装置との間の主な相違点は、原子炉２００の場合の、支持装置が上部支持部材４４と下部支持部材４６との間に配置された中間部材２０２を含むことである。中間部材２０２は、凸状の上部接触面と下部接触面２０４、２０６を有する略長円の形状である。上部支持部材４４及び下部支持部材４６は凹状支持面２０８、２１０を有する。支持面２０８、２１０の半径は支持面２０４、２０６の半径よりも大きい。
【００５０】
この構成の利点は、自己調心式であることである。
【００５１】
次に、図面のうちの図１４から図１６を参照すると、本発明による支持装置を組み込んだ別の原子炉の一部が参照番号３００で全体的に示されており、特に指示がない限り、上記で使用した同じ参照番号は、同じ要素を示すのに使用されている。
【００５２】
本発明のこの実施形態においては、環状スカート３０２が炉心バレルの底部３０から下方に垂下する。支持ビーム５４は、炉心バレル１４の底部３０と中央部材４８とに連結されて半径方向外方に延びており、支持ビーム５４の半径方向外方の端部がスカート３０２に連結される。
【００５３】
更に、図１５に示す実施形態においては、突出部３０４は、下部支持リング１３４から半径方向内方に突出する。突出部３０４は、スカート３０２内に設けられたスロット３０６を貫通して延びる。従って、スカート３０２及び突出部３０４は、地震事象時に生じる可能性のあるような例外的荷重を受けた際に、炉心バレルを支持する下部補助支持体１３０として機能する。突出部３０４とスロット３０６との間に所望の間隙を得るために、シム３０８を使用することができる。更に、図面のうち図１６で最も良く分かるように、各突出部３０４は凸状側部３１０を有し、これは地震事象の際にシム３０８と接触する。凸状側部３１０によって、例えば、炉心バレルの曲がりの結果として、スカート３０２が水平に対し若干の角度をなした場合でも確実に小さな接触応力が発生する。
【００５４】
更に、本発明のこの実施形態においては、横方向支持手段は、３つの弾性変形可能な位置決め要素又はビーム３１２備えた下部横方向支持体を含む。ビーム３１２の内端部は、上部支持部材４８上に設けられた凹部３１４の形で内側受け入れ構成体に配置され、ビーム３１２の半径方向外方端部は、突出部３０４のうち３つに取り付けられるシム３１８上に設けられた相補的凹部３１６内に位置付けられる。シム３１８は、ビーム３１２において所望の予荷重を得るのに使用される。ビーム３１２は、最大の偏差を得て地震事象時にビーム内応力が最小となるように湾曲しており、突出部３０４とシム３０８間の間隔が近接することができるようビーム３１２が十分に変形し、これにより横荷重が炉心バレルから原子炉圧力容器に伝達されるようになる。地震事象後、ビーム３１２は中央部材４８を中央に配置し、突出部３０４とシム３０８との間のギャップを回復する。
【００５５】
発明者らは、従来技術によるシステムと比較すると、本発明により温度変動を受ける容器並びに支持構造体に加わる応力が小さくなると考えている。更に、原子炉の特定の場合においては、本発明は、応力を増大させることなく炉心バレルの曲がり量を小さくすることを可能にする。炉心バレルは、一様ではない温度分布を許容することができる。更に、炉心バレルは、原子炉圧力容器に対して半径方向並びに軸方向に膨張することができる。支持体１０４の調整を可能にすることによって、上端部に隣接する炉心バレルの横方向支持体を調節して、炉心バレルの自己調芯及び安定化を確実にすることができる。更に、上部及び下部支持リング上に設けられたシムは、取り付け中にサイズが決められ、これにより確実に所望の間隔取り又は許容公差が実現される。
【図面の簡単な説明】
【００５６】
【図１】本発明による支持装置を組み込んだ原子炉の概略配置図である。
【図２】原子炉の下部の断面図である。
【図３】原子炉の一部を成す炉心バレルの下端部の下から見た垂直支持体の一部を示す三次元図である。
【図４】原子炉の下部補助支持体の一部の三次元拡大図である。
【図５】原子炉圧力容器内の下部支持リングの位置を示す原子炉の原子炉圧力容器の下部の三次元図である。
【図６】下部支持リング上に取付け可能なシムの三次元図である。
【図７】炉心バレルの上端部の三次元図である。
【図８】原子炉圧力容器上に取り付けられる上部支持リングの一部の三次元図である。
【図９】本発明による上部横方向支持体の一部の三次元分解図である。
【図１０】上部支持リング上に取り付けられたガイドポストの三次元分解図である。
【図１１】上部補助支持体の一部の三次元図である。
【図１２】原子炉圧力容器の一部と支持装置の一部を形成する上部リングとの拡大断面図である。
【図１３】本発明による別の支持装置を組み込んだ別の原子炉の下部の図２と類似した断面図である。
【図１４】本発明による支持装置を組み込んだ更に別の原子炉の一部を形成する炉心バレルの下端部の図面の図３と類似した三次元図である。
【図１５】図１４の原子炉の支持装置の一部を形成する下部支持リングの三次元図である。
【図１６】図１５の支持リングから突出する突出部の拡大三次元図である。
【符号の説明】
【００５７】
１０  原子炉
１２  原子炉圧力容器
１４  炉心バレル
１６  垂直支持体
１８  横方向支持手段
２０  円筒形側壁
２２  ドーム形上端部
２４  ドーム形下端部
２６  円筒形側壁
２８  頂部
３０  底部
４０  チャンバ
【図１】
2007502425.tif 000003
【図２】
2007502425.tif 000004
【図３】
2007502425.tif 000005
【図４】
2007502425.tif 000006
【図５】
2007502425.tif 000007
【図６】
2007502425.tif 000008
【図７】
2007502425.tif 000009
【図８】
2007502425.tif 000010
【図９】
2007502425.tif 000011
【図１０】
2007502425.tif 000012
【図１１】
2007502425.tif 000013
【図１２】
2007502425.tif 000014
【図１３】
2007502425.tif 000015
【図１４】
2007502425.tif 000016
【図１５】
2007502425.tif 000017
【図１６】
2007502425.tif 000018
【国際調査報告】
2007502425.tif 000019
2007502425.tif 000020
2007502425.tif 000021
2007502425.tif 000022
2007502425.tif 000023